(57)【要約】      （修正有）【課題】前後方向にコンパクト化でき、給水部の上流側の構造が垂れ下がることがない水洗大便器を提供する。【解決手段】ボウル部８を規定する便器本体２と、便器本体の内部に形成され、ボウル部内に洗浄水を導くための導水路と、を備えた水洗大便器である。導水路は、当該導水路に対して給水がなされる給水部７０を始点として、ボウル部の左右の一方側に配置された第１吐水口３８まで延在する第１導水部６１と、ボウル部の左右の他方側に配置された第２吐水口４０まで延在する第２導水部６２と、を有している。給水部は、ボウル部の左右の一方側に偏った位置に設けられており、給水部への給水は、給水部から第１導水部に向かう方向になされる。第１導水部の途中に、給水部から第１導水部に向かう洗浄水の少なくとも一部が衝突する衝突壁６５が設けられ、衝突壁に衝突した前記洗浄水の少なくとも一部は、第２導水部に向かう。【選択図】図１
2020193459.tif 000002
【特許請求の範囲】
【請求項１】
ボウル部を規定する便器本体と、
前記便器本体の内部に形成され、前記ボウル部内に洗浄水を導くための導水路と、
を備えた水洗大便器であって、
前記導水路は、当該導水路に対して給水がなされる給水部を始点として、前記ボウル部の左右の一方側に配置された第１吐水口まで延在する第１導水部と、前記ボウル部の左右の他方側に配置された第２吐水口まで延在する第２導水部と、を有しており、
前記給水部は、前記ボウル部の左右の前記一方側に偏った位置に設けられており、
前記給水部への給水は、前記給水部から前記第１導水部に向かう方向になされ、
前記第１導水部の途中に、前記給水部から前記第１導水部に向かう洗浄水の少なくとも一部が衝突する衝突壁が設けられ、
前記衝突壁に衝突した前記洗浄水の少なくとも一部は、前記第２導水部に向かう
ことを特徴とする水洗大便器。
【請求項２】
前記第１吐水口から吐水される洗浄水の量は、前記給水部から給水される洗浄水の量の６０〜９０％である
ことを特徴とする請求項１に記載の水洗大便器。
【請求項３】
前記衝突壁は、前記第１導水部の天面から底面まで延在している
ことを特徴とする請求項１または２に記載の水洗大便器。
【請求項４】
前記衝突壁は、前記給水部からなされる給水の方向に見た前記給水部の投影面の全体が重なるように設けられている
ことを特徴とする請求項１乃至３のいずれかに記載の水洗大便器。
【請求項５】
前記衝突壁は、前記第１導水部の内側面に当接する一方で、前記第１導水部の外側面からは離間している
ことを特徴とする請求項４に記載の水洗大便器。
【請求項６】
ボウル部を規定する便器本体と、
前記便器本体の内部に形成され、前記ボウル部内に洗浄水を導くための導水路と、
を備えた水洗大便器であって、
前記導水路は、当該導水路に対して給水がなされる給水部を始点として、前記ボウル部の左右の一方側に配置された第１吐水口まで延在する第１導水部と、前記ボウル部の左右の他方側に配置され前記第１吐水口よりも後方に位置する第２吐水口まで延在する第２導水部と、を有しており、
前記給水部は、前記ボウル部の左右の前記一方側に偏った位置に設けられており、
前記給水部への給水は、前記給水部から前記第２導水部に向かう方向になされ、
前記第２導水部の途中に、前記給水部から前記第２導水部に向かう洗浄水の少なくとも一部が衝突する衝突壁が設けられ、
前記衝突壁に衝突した前記洗浄水の少なくとも一部は、前記第１導水部に向かう
ことを特徴とする水洗大便器。
【請求項７】
前記第１吐水口から吐水される洗浄水の量は、前記給水部から給水される洗浄水の量の６０〜９０％である
ことを特徴とする請求項６に記載の水洗大便器。
【請求項８】
前記衝突壁は、前記第２導水部の天面から底面まで延在している
ことを特徴とする請求項６または７に記載の水洗大便器。
【請求項９】
前記衝突壁は、前記給水部からなされる給水の方向に見た前記給水部の投影面の全体が重なるように設けられている
ことを特徴とする請求項６乃至８のいずれかに記載の水洗大便器。
【請求項１０】
前記衝突壁は、前記第２導水部の内側面に当接する一方で、前記第２導水部の外側面からは離間している
ことを特徴とする請求項９に記載の水洗大便器。
【発明の詳細な説明】
【技術分野】
【０００１】
本発明は、水洗大便器に係り、特に、洗浄水により便器を洗浄する水洗大便器に関する。
【背景技術】
【０００２】
従来から、例えば特許文献１に記載されているように、ボウル部と、リム部に沿って洗浄水を吐水するリム吐水口部と、を備え、リム吐水口部からリム部に沿って吐水される洗浄水がボウル部を旋回流で洗浄する水洗大便器が知られている。
【０００３】
更に詳しくは、特許文献１において、リム吐水口部に（ボウル部内に）洗浄水を導くための導水路は、当該導水路に対して給水がなされる給水部（分岐部）を始点として、ボウル部の左右の一方側へと延在する第１導水部と、ボウル部の左右の他方側へと延在する第２導水部と、を有している。そして、当該給水部は、ボウル部に対して左右中央の位置に設けられている。
【先行技術文献】
【特許文献】
【０００４】
【特許文献１】特許第６３３２６０６号公報
【発明の概要】
【発明が解決しようとする課題】
【０００５】
近年、デザイン性を更に向上させるため、水洗大便器のより一層のコンパクト化が検討されている。例えば、前後方向のコンパクト化を図り、いわゆる「前出」の小さな水洗大便器を実現することが検討されている。
【０００６】
従来においては、特許文献１に示されているように、給水部（分岐部）はボウル部に対して左右中央の位置に設けられていた。本件発明者は、当該給水部（分岐部）をボウル部に対して左右いずれかの偏った位置にずらすことによって、前後方向のコンパクト化を図ることを検討してきた。
【０００７】
本件に先立って、本件出願人は、特願２０１８−１５８４２３を出願している。図１０は、当該出願の図４に対応しており、当該出願によって開示された発明の第３実施形態による水洗大便器の便器本体の平面図である。図１０に示す水洗大便器においては、洗浄水が一時的に滞留可能なバッファ室を利用して、給水部１７０への給水方向の整流が実現されている。
【０００８】
具体的には、給水部１７０への給水は、平面視において前後方向に対して傾斜して給水部１７０の内側面（ボウル部１０８の外周面）と交わる方向に延びる給水路１９１によってなされ、当該給水路１９１に、洗浄水が一時的に滞留可能なバッファ室１９２を介して、直線給水管１９３が接続されている。図１０の水洗大便器では、給水管１９３からバッファ室１９２内への洗浄水の給水方向に、給水路１９１の入口が設けられている。
【０００９】
図１０の水洗大便器によれば、バッファ室１９２において洗浄水が一時的に滞留可能であることにより、給水管１９３からバッファ室１９２までの給水方向による影響を低減させることができ、給水部１７０までより高精度に給水路１９１の方向に沿って給水することができる。
【００１０】
更に、前記出願には、給水管１９３からバッファ室１９２内への洗浄水の給水方向に対向する位置に、当該洗浄水の給水速度を減速させる壁１９４が設けられた例も開示されている。図１１は、前記出願の図５に対応しており、そのような例（第４実施形態）による水洗大便器の便器本体の平面図である。バッファ室１９２の壁１９４の内壁面は、給水管１９３からバッファ室１９２内への洗浄水の給水方向に略垂直である。
【００１１】
図１１に示す水洗大便器によれば、給水管１９３からバッファ室１９２内への洗浄水の給水方向に対向する位置に当該洗浄水の給水速度を減速させる壁１９４が設けられていることにより、給水管１９３からバッファ室１９２までの給水方向による影響をより一層低減させることができ、給水部１７０まで更に高精度に給水路１９１の方向に沿って給水することができる。
【００１２】
しかしながら、本件発明者による更なる検討によれば、図１０及び図１１のそれぞれにおいて一点鎖線で囲んだ給水部１７０の上流側の構造が、第１通水部１６１及び第２通水部１６２に対して後方側に突出しているため、当該構造が下方に垂れ下がってしまう（垂れ下がらないような特別な工夫を要する）という問題が知見された。
【００１３】
本発明は、以上のような背景の下になされたものである。本発明の目的は、前後方向にコンパクト化できる水洗大便器であって、給水部の上流側の構造が下方へ垂れ下がるという問題が生じない水洗大便器を提供することである。
【課題を解決するための手段】
【００１４】
本発明は、ボウル部を規定する便器本体と、前記便器本体の内部に形成され、前記ボウル部内に洗浄水を導くための導水路と、を備えた水洗大便器であって、前記導水路は、当該導水路に対して給水がなされる給水部を始点として、前記ボウル部の左右の一方側に配置された第１吐水口まで延在する第１導水部と、前記ボウル部の左右の他方側に配置された第２吐水口まで延在する第２導水部と、を有しており、前記給水部は、前記ボウル部の左右の前記一方側に偏った位置に設けられており、前記給水部への給水は、前記給水部から前記第１導水部に向かう方向になされ、前記第１導水部の途中に、前記給水部から前記第１導水部に向かう洗浄水の少なくとも一部が衝突する衝突壁が設けられ、前記衝突壁に衝突した前記洗浄水の少なくとも一部は、前記第２導水部に向かうことを特徴とする水洗大便器である。
【００１５】
本発明によれば、給水部がボウル部に対して左右いずれかに偏った位置に設けられているため、水洗大便器を前後方向にコンパクト化することができる。また、第１導水部の途中に衝突壁を設けたことによって、第１導水部への導水量（すなわち第１吐水口からの吐水量）と第２導水部への導水量（すなわち第２吐水口からの吐水量）との比率（分配比率）を所望の値に調整することができる。そして、給水部への給水には、従来から周知の直線ノズル等を採用することができるため、給水部の上流側の構造が下方へ垂れ下がるという問題も生じない。
【００１６】
例えば、前記第１吐水口から吐水される洗浄水の量は、前記給水部から給水される洗浄水の量の６０〜９０％であることが好ましい。
【００１７】
また、前記衝突壁は、前記第１導水部の天面から底面まで延在していることが好ましい。この場合、当該衝突壁と第１導水部に向かう洗浄水の少なくとも一部との衝突をより確実なものとすることができ、衝突した洗浄水の少なくとも一部をより確実に第２導水部に導くことができる。
【００１８】
また、前記衝突壁は、前記給水部からなされる給水の方向に見た前記給水部の投影面の全体が重なるように設けられていることが好ましい。この場合も、当該衝突壁と第１導水部に向かう洗浄水の少なくとも一部との衝突をより確実なものとすることができ、衝突した洗浄水の少なくとも一部をより確実に第２導水部に導くことができる。また、この場合、前記衝突壁は、前記第１導水部の内側面に当接する一方で、前記第１導水部の外側面からは離間していることが更に好ましい。これによれば、第１導水部への導水と第２導水部への導水との両方をより円滑に実現することができる。
【００１９】
あるいは、本発明は、ボウル部を規定する便器本体と、前記便器本体の内部に形成され、前記ボウル部内に洗浄水を導くための導水路と、を備えた水洗大便器であって、前記導水路は、当該導水路に対して給水がなされる給水部を始点として、前記ボウル部の左右の一方側に配置された第１吐水口まで延在する第１導水部と、前記ボウル部の左右の他方側に配置され前記第１吐水口よりも後方に位置する第２吐水口まで延在する第２導水部と、を有しており、前記給水部は、前記ボウル部の左右の前記一方側に偏った位置に設けられており、前記給水部への給水は、前記給水部から前記第２導水部に向かう方向になされ、前記第２導水部の途中に、前記給水部から前記第２導水部に向かう洗浄水の少なくとも一部が衝突する衝突壁が設けられ、前記衝突壁に衝突した前記洗浄水の少なくとも一部は、前記第１導水部に向かうことを特徴とする水洗大便器である。
【００２０】
本発明によれば、給水部がボウル部に対して左右いずれかに偏った位置に設けられているため、水洗大便器を前後方向にコンパクト化することができる。また、第２導水部の途中に衝突壁を設けたことによって、第１導水部への導水量（すなわち第１吐水口からの吐水量）と第２導水部への導水量（すなわち第２吐水口からの吐水量）との比率（分配比率）を所望の値に調整することができる。そして、給水部への給水には、従来から周知の直線ノズル等を採用することができるため、給水部の上流側の構造が下方へ垂れ下がるという問題も生じない。
【００２１】
本発明においても、例えば、前記第１吐水口から吐水される洗浄水の量は、前記給水部から給水される洗浄水の量の６０〜９０％であることが好ましい。
【００２２】
また、本発明において、前記衝突壁は、前記第２導水部の天面から底面まで延在していることが好ましい。この場合、当該衝突壁と第２導水部に向かう洗浄水の少なくとも一部との衝突をより確実なものとすることができ、衝突した洗浄水の少なくとも一部をより確実に第１導水部に導くことができる。
【００２３】
また、本発明において、前記衝突壁は、前記給水部からなされる給水の方向に見た前記給水部の投影面の全体が重なるように設けられていることが好ましい。この場合も、当該衝突壁と第２導水部に向かう洗浄水の少なくとも一部との衝突をより確実なものとすることができ、衝突した洗浄水の少なくとも一部をより確実に第１導水部に導くことができる。また、この場合、前記衝突壁は、前記第２導水部の内側面に当接する一方で、前記第２導水部の外側面からは離間していることが更に好ましい。これによれば、第１導水部への導水と第２導水部への導水との両方をより円滑に実現することができる。
【発明の効果】
【００２４】
本発明の一態様によれば、給水部がボウル部に対して左右いずれかに偏った位置に設けられているため、水洗大便器を前後方向にコンパクト化することができることに加えて、第１導水部の途中に衝突壁を設けたことによって、第１導水部への導水量（すなわち第１吐水口からの吐水量）と第２導水部への導水量（すなわち第２吐水口からの吐水量）との比率（分配比率）を所望の値に調整することができる。そして、給水部への給水には、従来から周知の直線ノズル等を採用することができるため、給水部の上流側の構造が下方へ垂れ下がるという問題も生じない。
【００２５】
あるいは、本発明の別の態様によれば、給水部がボウル部に対して左右いずれかに偏った位置に設けられているため、水洗大便器を前後方向にコンパクト化することができることに加えて、第２導水部の途中に衝突壁を設けたことによって、第１導水部への導水量（すなわち第１吐水口からの吐水量）と第２導水部への導水量（すなわち第２吐水口からの吐水量）との比率（分配比率）を所望の値に調整することができる。そして、給水部への給水には、従来から周知の直線ノズル等を採用することができるため、給水部の上流側の構造が下方へ垂れ下がるという問題も生じない。
【図面の簡単な説明】
【００２６】
【図１】本発明の第１実施形態による水洗大便器の便器本体の平面図である。
【図２】図１のＩＩ−ＩＩ線矢視図である。
【図３】図１の便器本体の前部上方斜視図である。
【図４】図１の便器本体の後部下方斜視図である。
【図５】衝突壁の第１変形例を示す図２に対応する図である。
【図６】衝突壁の第２変形例を示す図２に対応する図である。
【図７】衝突壁の第３変形例を示す図２に対応する図である。
【図８】衝突壁の延出角度の変更例を示す図１に対応する図である。
【図９】本発明の第２実施形態による水洗大便器の便器本体の平面図である。
【図１０】本件出願人による先行出願によって開示された水洗大便器の便器本体の平面図である。
【図１１】本件出願人のよる先行出願によって開示された水洗大便器の便器本体の平面図である。
【発明を実施するための形態】
【００２７】
＜第１実施形態＞
以下、添付図面を参照して本発明の第１実施形態による水洗大便器について説明する。
図１は、本発明の第１実施形態による水洗大便器の便器本体の平面図であり、図２は、図１のＩＩ−ＩＩ線矢視図であり、図３は、図１の便器本体の前部上方斜視図であり、図４は、図１の便器本体の後部下方斜視図である。
【００２８】
以下の説明において、便器本体２を前方から見た時の右側を「右側」とし、便器本体２を前方から見た時の左側を「左側」としている。
【００２９】
図１乃至図４に示すように、本発明の第１実施形態による水洗大便器１は、陶器等からなる便器本体２を有する。便器本体２の後方側の上方には、洗浄水源である貯水タンクが設置されている。貯水タンクは、上水道等の給水源（図示せず）に接続されている。
【００３０】
便器本体２の前方上部には、ボウル部８が形成されている。ボウル部８の下方には、溜水部が形成され、所定量の溜水が貯留されている。溜水部１２の下端には、排水トラップ管路の入口が接続されており、排水トラップ管路は、その入口から後方へと延び、その後端が床面に設置された排出管（図示せず）に接続されている。
【００３１】
便器本体２の内部には、当該便器本体２の後方側に設けられた前記供給口から導入される洗浄水をボウル部８内に導くための導水路６０が設けられている。
【００３２】
導水路６０は、当該導水路６０に対して給水がなされる給水部７０を始点として、ボウル部８の左側（左右の一方側）に配置された第１吐水口３８まで延在する第１導水部６１と、ボウル部８の右側（左右の他方側）に配置された第２吐水口４０まで延在する第２導水部６２と、を有している。そして、本実施形態の特徴の１つとして、給水部７０が、ボウル部８に対して左側（左右いずれか）に偏った位置に設けられている。
【００３３】
第１導水部６１は、給水部７０から概ね便器本体２の前方側へと延びるように形成されている。第２導水部６２は、給水部７０から概ね便器本体２の右側へと延びた後、折り返されて、第２吐水口４０に至るように形成されている。
【００３４】
給水部７０の給水は、平面視において略前後方向に（正確にはα°（１０°〜３０°程度）だけ中央側に傾斜した方向に）第１導水部６１に向かう方向になされるようになっている。
【００３５】
そのために、本実施形態では、給水部７０の給水は、平面視において略前後方向に（正確にはα°（１０°〜３０°程度）だけ中央側に傾斜した方向に）延びる直線ノズル７１によってなされるようになっている。直線ノズル７１には、給水管７２が接続されている。
【００３６】
また、本実施形態では、図１に示すように、第１導水部６１と第２導水部６２とは滑らかに連続しており、両者の連続部において、第１導水部６１の接線方向と第２導水部６２の接線方向とが略同一方向となっている。
【００３７】
そして、第１導水部６１の途中に、給水部７０から第１導水部６１に向かう洗浄水の少なくとも一部が衝突する衝突壁６５が設けられている。そして、当該衝突壁６５に衝突した洗浄水の少なくとも一部が、第２導水部６２に向かうようになっている。
【００３８】
本実施形態の衝突壁６５は、給水部７０に近い位置に設けられており、図１に示すように、直線ノズル７１の延在方向（すなわち給水部７０の給水方向）に対して垂直に設けられている。衝突壁６５は、第１導水部６１の外側面６１ｂからは、離間している。当該離間の幅は、衝突壁６５が無い場合の第１導水部６１（図３の破線）の幅の２５〜４０％程度、例えば３分の１程度、である。
【００３９】
また、本実施形態の衝突壁６５は、図２に示すように、給水部７０からなされる給水の方向に見た給水部７０の投影面（本実施形態では直線ノズル７１の内径の投影面）の全体が重なるようなサイズ及び位置で設けられている。また、本実施形態の衝突壁６５は、第１導水部６１の天面６１ｃから底面６１ｄまで延在している。
【００４０】
なお、図１の直線ノズル７１の中心軸線（衝突壁６５に対して垂直に交わる）を基準の軸線として、直線ノズル７１の向きを平面視において±１５°内の範囲で調整することにより、第１導水部６１への導水量（すなわち第１吐水口３８からの吐水量）と第２導水部６２への導水量（すなわち第２吐水口４０からの吐水量）との比が、６０〜９０％：４０〜１０％（例えば８０％：２０％）となるように調整できるようになっている。
【００４１】
その他、ボウル部８は、ボウル形状に形成されている汚物受け面１６と、その上方に形成されて汚物受け面１６に洗浄水を案内する第１棚部１８及び第２棚部４８と、を有している。
【００４２】
より詳細には、第１棚部１８は、汚物受け面１６の前方領域の上方に位置し、当該第１棚部１８上に第１通水路２０が形成されている。第１通水路２０に吐水される洗浄水は、ボウル部８の前方領域を左側から右側へ、更にはボウル部８の後方へ、と旋回するようになっている。
【００４３】
また、本実施形態では、第１導水部６１と第１通水路２０とが接続される領域において、第１導水部６１の外側面６１ｂと、第１通水路２０の外側壁面２０ｂとが、ほぼ平坦に連続して形成されている。これにより、洗浄水が、第１導水部６１から第１通水路２０へと滑らかに流れることができる。
【００４４】
また、本実施形態では、第１吐水口３８近傍において、第１導水部６１の中心軸線の向きと、第１通水路２０上を流れる洗浄水の流線の向きとが、ほぼ一致するようになっている。これにより、第１吐水口３８から流出する洗浄水が、第１通水路２０上をほぼ同じ方向に向かって、水の勢いを保った状態（流量及び流速をほぼ維持した状態）で流れることができる。
【００４５】
また、第２棚部４８は、汚物受け面１６の後方領域の上方に位置し、当該第２棚部４８上に第２通水路５０が形成されている。第２通水路５０に吐水される洗浄水は、ボウル部８の後方領域を右側から左側へ、更にはボウル部８の前方へ、と旋回するようになっている。
【００４６】
また、本実施形態では、第２吐水口４０から流出する洗浄水も、第２通水路５０上をほぼ同じ方向に向かって、水の勢いを保った状態（流量及び流速をほぼ維持した状態）で流れることができる。
【００４７】
次に、本実施形態による水洗大便器の作用（動作）を説明する。
【００４８】
便器洗浄のため洗浄操作パネル（図示せず）の操作ボタン（図示せず）が操作されると、貯水タンクに設けられた排水弁（図示せず）が開き、貯水タンクから所定の洗浄水量（例えば、４．８リットル）が便器本体２の後方側の供給口（不図示）から便器本体２内へと供給され、給水管７２及び直線ノズル７１を介して導水路６０へと供給される。
【００４９】
そして、給水部７０から第１導水部６１に向かう方向に給水された洗浄水は、その一部が衝突壁６５に衝突して、第１導水部６１と第２導水部６２とに分岐されて導水される。
【００５０】
本実施形態では、第１導水部６１への導水量（すなわち第１吐水口３８からの吐水量）と第２導水部６２への導水量（すなわち第２吐水口４０からの吐水量）との比が、６０〜９０％：４０〜１０％（例えば８０％：２０％）となるように調整されている。
【００５１】
第１導水部６１を経て第１吐水口３８から吐水される洗浄水は、第１通水路２０上を流れてボウル部８内に供給され、旋回しながら汚物受け面１６に下降して、ボウル部８を洗浄する。
【００５２】
第２導水部６２を経て第２吐水口４０から吐水される洗浄水は、第２通水路５０上を流れてボウル部８内に供給され、旋回しながら汚物受け面１６に下降して、ボウル部８を洗浄する。
【００５３】
ボウル部８を洗浄しながら下降した洗浄水は、汚物とともに排水トラップ管路１４から排出されて、便器本体２の一連の洗浄動作が終了する。
【００５４】
以上のような本実施形態の水洗大便器１によれば、給水部７０がボウル部８に対して左側（左右いずれか）に偏った位置に設けられているため、水洗大便器１を前後方向にコンパクト化することができる。
【００５５】
また、第１導水部６１の途中に衝突壁６５を設けたことによって、第１導水部６１への導水量（すなわち第１吐水口３８からの吐水量）と第２導水部６２への導水量（すなわち第２吐水口４０からの吐水量）との比率（分配比率）を所望の値に調整することができる。
【００５６】
そして、給水部７０への給水に従来から周知の直線ノズル７１を採用でき、図３及び図４に示すように、給水部７０の上流側の構造が下方へ垂れ下がるという問題も生じない。なお、図３及び図４では、直線ノズル７１及び給水管７２が取り付けられる前の状態が図示されている。
【００５７】
また、本実施形態の水洗大便器１によれば、衝突壁６５が第１導水部６１の天面６１ｃから底面６１ｄまで延在しているため、当該衝突壁６５と第１導水部６１に向かう洗浄水の少なくとも一部との衝突をより確実なものとすることができ、衝突した洗浄水の少なくとも一部をより確実に第２導水部６２に導くことができる。
【００５８】
また、本実施形態の水洗大便器１によれば、給水部７０からなされる給水の方向に見た給水部７０の投影面の全体が衝突壁６５と重なっていることによっても、当該衝突壁６５と第１導水部６１に向かう洗浄水の少なくとも一部との衝突をより確実なものとすることができ、衝突した洗浄水の少なくとも一部をより確実に第２導水部６２に導くことができる。
【００５９】
更に、本実施形態の水洗大便器１によれば、衝突壁６５が、第１導水部６１の内側面６１ａに当接する一方で、第１導水部６１の外側面６１ｂからは離間していることにより、第１導水部６１への導水と第２導水部６２への導水との両方をより円滑に実現している。
【００６０】
＜変形例＞
以上の第１実施形態では、衝突壁６５が第１導水部６１の天面６１ｃから底面６１ｄまで延在していた。しかしながら、衝突壁６５は、第１導水部６１の天面６１ｃ側または底面６１ｄ側にのみ設けられてもよい。
【００６１】
例えば、衝突壁６５が第１導水部６１の天面６１ｃ側にのみ設けられて、衝突壁６５が第１導水部６１の底面６１ｄからは離間している変形例について、図２に対応する図を図５として示す。
【００６２】
あるいは、衝突壁６５が第１導水部６１の底面６１ｄ側にのみ設けられて、衝突壁６５が第１導水部６１の天面６１ｃからは離間している変形例について、図２に対応する図を図６として示す。本例では、給水部７０からなされる給水の方向に見た給水部７０の投影面の全体が衝突壁６５と重ならず、当該投影面の一部のみが衝突壁６５と重なっている。
【００６３】
あるいは、衝突壁６５が第１導水部６１の天面６１ｃ側と底面６１ｄ側とに分離して設けられていて両者が互いから離間している変形例について、図２に対応する図を図７として示す。本例でも、給水部７０からなされる給水の方向に見た給水部７０の投影面の全体が衝突壁６５と重ならず、当該投影面の一部のみが衝突壁６５と重なっている。
【００６４】
更に、以上の第１実施形態及びそれらの変形例においては、衝突壁６５の延出方向は、直線ノズル７１の延在方向（すなわち給水部７０の給水方向）に対して垂直であったが、図８に示すように、衝突壁６５の向き（延出角度）を平面視において±２０°内の範囲で調整することにより、第１導水部６１への導水量（すなわち第１吐水口３８からの吐水量）と第２導水部６２への導水量（すなわち第２吐水口４０からの吐水量）との比が、６０〜９０％：４０〜１０％（例えば８０％：２０％）となるように調整している。
【００６５】
以上のように、衝突壁６５のサイズ及び位置並びに延出方向は、様々に変更可能である。第１導水部６１への導水量（すなわち第１吐水口３８からの吐水量）と第２導水部６２への導水量（すなわち第２吐水口４０からの吐水量）との比が６０〜９０％：４０〜１０％（例えば８０％：２０％）となるように、且つ、第１導水部６１への導水（第１吐水口３８からの吐水）の水勢及び第２導水部６２への導水（第２吐水口４０からの吐水）の水勢ができるだけ強く維持されるように、適宜に選択される。
【００６６】
なお、衝突壁６５の衝突面は、平坦面であることが一般的であるが、僅かに湾曲する湾曲面であってもよい。
【００６７】
＜第２実施形態＞
【００６８】
次に、図９は、本発明の第２実施形態による水洗大便器の便器本体の平面図である。本実施形態では、衝突壁８５が、第１導水部６１の途中ではなく、第２導水部６２の途中に設けられている。そして、給水部９０の給水は、左右方向に第２導水部６２に向かう方向になされるようになっており、衝突壁６５に衝突した洗浄水の少なくとも一部が、第１導水部６１に向かうようになっている。
【００６９】
本実施形態の衝突壁８５は、給水部９０に近い位置に設けられており、図９に示すように、第２導水部６２の内側面６２ａから前後方向に延出している。衝突壁８５は、第２導水部６２の外側面６２ｂからは、離間している。
【００７０】
また、本実施形態の衝突壁８５は、図９に示すように、給水部９０からなされる給水の方向に見た給水部９０の投影面（本実施形態では直線ノズル７１の内径の投影面）の全体が重なるようなサイズ及び位置で設けられている。また、本実施形態の衝突壁８５は、第２導水部６２の天面から底面まで延在している。
【００７１】
本実施形態のその他の構成については、図１乃至図４を用いて説明した第１実施形態と略同様である。図９において、第１実施形態と同様の部分については、同様の符号を付している。また、本実施形態の第１実施形態と同様の部分については、詳しい説明を省略する。
【００７２】
本実施形態によれば、給水部９０がボウル部８に対して左側（左右いずれか）に偏った位置に設けられているため、水洗大便器１を前後方向にコンパクト化することができる。
【００７３】
また、第２導水部６２の途中に衝突壁８５を設けたことによって、第１導水部６１への導水量（すなわち第１吐水口３８からの吐水量）と第２導水部６２への導水量（すなわち第２吐水口４０からの吐水量）との比率（分配比率）を所望の値に調整することができる。
【００７４】
そして、給水部９０への給水に従来から周知の直線ノズル７１を採用でき、給水部９０の上流側の構造が下方へ垂れ下がるという問題も生じない。
【００７５】
また、本実施形態の水洗大便器１によれば、衝突壁８５が第２導水部６２の天面から底面まで延在しているため、当該衝突壁８５と第２導水部６２に向かう洗浄水の少なくとも一部との衝突をより確実なものとすることができ、衝突した洗浄水の少なくとも一部をより確実に第１導水部６１に導くことができる。
【００７６】
また、本実施形態の水洗大便器１によれば、給水部９０からなされる給水の方向に見た給水部９０の投影面の全体が衝突壁６５と重なっていることによっても、当該衝突壁８５と第２導水部６２に向かう洗浄水の少なくとも一部との衝突をより確実なものとすることができ、衝突した洗浄水の少なくとも一部をより確実に第１導水部６１に導くことができる。
【００７７】
更に、本実施形態の水洗大便器１によれば、衝突壁８５が、第２導水部６２の内側面６２ａに当接する一方で、第２導水部６２の外側面６２ｂからは離間していることにより、第１導水部６１への導水と第２導水部６２への導水との両方をより円滑に実現している。
【符号の説明】
【００７８】
１      水洗大便器
２      便器本体
４      貯水タンク
８      ボウル部
１２    溜水部
１６    汚物受け面
１８    第１棚部
２０    第１通水路
２０ｂ  外側壁面
３５    衝突壁
３８    第１吐水口
４０    第２吐水口
４８    第２棚部
５０    第２通水路
６０    導水路
６１    第１導水部
６１ａ  内側面
６１ｂ  外側面
６１ｃ  天面
６１ｄ  底面
６２    第２導水部
６２ａ  内側面
６２ｂ  外側面
６５    衝突壁
７０    給水部
７１    直線ノズル
７２    給水管
８５    衝突壁
９０    給水部
１０８  ボウル部
１６１  第１通水部
１６２  第２通水部
１７０  給水部
１９１  給水路
１９２  バッファ室
１９３  直線給水管
１９４  壁
【図１】
2020193459.tif 000003
【図２】
2020193459.tif 000004
【図３】
2020193459.tif 000005
【図４】
2020193459.tif 000006
【図５】
2020193459.tif 000007
【図６】
2020193459.tif 000008
【図７】
2020193459.tif 000009
【図８】
2020193459.tif 000010
【図９】
2020193459.tif 000011
【図１０】
2020193459.tif 000012
【図１１】
2020193459.tif 000013